(57)【要約】【課題】合成樹脂成形体からなるトリム本体にカバープレートを取り付けるカバープレートの取付構造において、前後方向、左右方向、上下方向の位置規制を簡単な取付作業で行なうとともに、取付孔を隠すことで外観性能を高める。【解決手段】トリム本体（キッキングプレート本体）２０に傾斜面２２ａを備えた係止孔２２をほぼ鉛直方向に開口するように開設し、この係止孔２２に対応するように、カバープレート（ステンレスプレート）３０に略く字状の係止爪３３を形成する。そして、係止爪３３の下半部３３ｂをほぼ鉛直方向に位置決めし、係止孔２２内に挿入した後、係止爪３３の基部３３ｄを基にカバープレート３０をトリム本体２０に重合する方向に回動操作することで係止爪３３を係着し、カバープレート３０をトリム本体２０に取り付ける。従って、係止孔２２手前の傾斜面２２ａと、係止爪３３とが面接触することで係止孔２２が外部に露出しない。【選択図】図３
2006027317.tif 000002
【特許請求の範囲】
【請求項１】
トリム本体（２０）の表面に取り付けられるカバープレート（３０）の取付構造であって、
前記トリム本体（２０）の表面には、カバープレート（３０）の外形状に合致するプレート収容凹部（２１）が形成され、該プレート収容凹部（２１）内にカバープレート（３０）を嵌め込み固定するとともに、カバープレート（３０）の一縁部に沿って適宜間隔を開けて、略く字状の係止爪（３３）が設けられ、これと対応するトリム本体（２０）におけるプレート収容凹部（２１）の縁部には、ほぼ鉛直方向に向けて開口する係止孔（２２）が開設されており、上記係止爪（３３）の下半部（３３ｂ）がほぼ鉛直方向となるように、カバープレート（３０）を傾斜姿勢で位置決めし、トリム本体（２０）の係止孔（２２）内に挿入した後、係止爪（３３）の基部（３３ｄ）を支点として、カバープレート（３０）を回動操作し、カバープレート（３０）をトリム本体（２０）のプレート収容凹部（２１）内に収容するとともに、係止爪（３３）の係着作用により、トリム本体（２０）にカバープレート（３０）を取り付けることを特徴とするカバープレートの取付構造。
【請求項２】
前記カバープレート（３０）の係止爪（３３）の先端（３３ｃ）がトリム本体（２０）におけるインナー側フランジ（２０ｂ）の内面に突き当たるとともに、係止爪（３３）の上半部（３３ａ）の表裏側は、係止孔（２２）の両側縁により当接保持されていることを特徴とする請求項１に記載のカバープレートの取付構造。
【発明の詳細な説明】
【技術分野】
【０００１】
本発明は、ドア開口部下縁のサイドステップ部に設けられるキッキングプレート等に好適なカバープレートの取付構造に係り、樹脂成形体からなるトリム本体の表面の一部に装飾を目的としたカバープレートを簡単な取付作業で取り付けることができ、かつトリム本体側の取付孔を遮蔽することができ、外観見栄え上も優れたカバープレートの取付構造に関する。
【背景技術】
【０００２】
図６に示すように、車両１の助手席側のドア２を開放した際、ドア開口部３の下縁部に位置するサイドステップ部４にキッキングプレート５が装着されている。このキッキングプレート５は、長尺状の樹脂成形体からなり、ドア開口部３の下縁部からフロント縁部の一部に至るように、フロント側がやや上方に湾曲した形状に設定されたトリム本体６の表面の一部に外観上のアクセント効果を付与するために、金属外観を呈するステンレスプレート等のカバープレート７を嵌め込み固着している（図７参照）（例えば、特許文献１参照。）。
【０００３】
上記トリム本体６に対して、カバープレート７は、厚みが０．５ｍｍ程度の両面接着テープ８を介して貼着されるが、従来の取付構造としては、例えば、図８に示すように、トリム本体６に水平方向（横方向）に向けて開口する取付孔６ａを開設しておき、図８中矢印で示すようにカバープレート７の固定爪７ａをこの取付孔６ａ内に水平方向に沿って挿入操作することで、カバープレート７をトリム本体６に取り付ける取付構造が知られている。
【０００４】
一方、図９に示すように、トリム本体６に鉛直方向に向けて開口する取付孔６ｂを開設しておき、カバープレート７の固定爪７ｂを取付前は点線で示すように鉛直方向に延びる形状に設定し、トリム本体６の取付孔６ｂに対して固定爪７ｂを鉛直方向に沿って挿入操作した後、固定爪７ｂを略９０°折曲操作することで、カバープレート７をトリム本体６に取り付ける取付構造が従来から採用されている。
【０００５】
【特許文献１】実開平６−１８０７８号公報
【発明の開示】
【発明が解決しようとする課題】
【０００６】
このように、合成樹脂成形体からなるトリム本体６に対してステンレスプレート等からなるカバープレート７を取り付ける従来例としては、例えば、図８に示すように、トリム本体６に水平方向に向けて開口する取付孔６ａを開設して、カバープレート７を水平方向にスライド移行させて取り付けた場合、このカバープレート７に外力が加われば、水平方向、すなわち、固定爪７ａが取付孔６ａから外れる方向にガタつき易く、確実な取付固定がなされないという欠点が指摘されている。
【０００７】
一方、図９に示すように、固定爪７ｂを取付孔６ｂ内に挿入した後、折曲加工する取付構造においては、トリム本体６に対してカバープレート７は、トリム本体６の幅方向（図中矢印Ｘで示す方向）はもとより上下方向（図中矢印Ｚで示す方向）についても位置規制が行なえ、固定爪７ｂの幅とトリム本体６の取付孔６ｂの幅とをほぼ一致させておけば、紙面と直交するトリム本体６の長手方向についても位置規制が行なえ、カバープレート７の取付精度は高まるものの、トリム本体６に設けた鉛直方向に開口する取付孔６ｂが外部に目立ち、外観性能を低下させるとともに、固定爪７ｂの折曲作業が煩わしく、生産性を低下させるという問題点があった。
【０００８】
この発明は、このような事情に鑑みてなされたもので、樹脂成形体からなるトリム本体の表面の一部にステンレスプレート等のカバープレートを取り付けるカバープレートの取付構造において、カバープレートを前後、左右及び上下方向の全方位において位置規制がなされるとともに、トリム本体側の取付孔が隠され、外観性能を高めたカバープレートの取付構造を提供することを目的とする。
【課題を解決するための手段】
【０００９】
上記目的を達成するために、本発明は、トリム本体の表面に取り付けられるカバープレートの取付構造であって、前記トリム本体の表面には、カバープレートの外形状に合致するプレート収容凹部が形成され、該プレート収容凹部内にカバープレートを嵌め込み固定するとともに、カバープレートの一縁部に沿って適宜間隔を開けて、略く字状の係止爪が設けられ、これと対応するトリム本体におけるプレート収容凹部の縁部には、ほぼ鉛直方向に向けて開口する係止孔が開設されており、上記係止爪の下半部がほぼ鉛直方向となるように、カバープレートを傾斜姿勢で位置決めし、トリム本体の係止孔内に挿入した後、係止爪の基部を支点として、カバープレートを回動操作し、カバープレートをトリム本体のプレート収容凹部内に収容するとともに、係止爪の係着作用により、トリム本体にカバープレートを取り付けることを特徴とする。
【００１０】
更に、本発明の好ましい実施の態様としては、前記カバープレートの係止爪の先端がトリム本体におけるインナー側フランジの内面に突き当たるとともに、係止爪の上半部の表裏側は、係止孔の両側縁により当接保持されていることを特徴とする。
【００１１】
ここで、カバープレート及びカバープレートを取り付けるトリム本体について、まず、カバープレートとしては、係止爪を一体形成する上で、ステンレス、アルミ等の金属材質にすることが必要であり、トリム本体としては、ステンレス等の金属素材と外観上のアクセント効果が得られることから、合成樹脂成形体が好ましい。
【００１２】
そして、本発明によれば、カバープレートの先端縁に設けた係止爪の基部外側面がトリム本体の取付孔の手前側縁部で面接触しているため、トリム本体に設けた取付孔が外部に露出することがない。
【００１３】
更に、カバープレートの先端縁に設けた係止爪をトリム本体の取付孔に取り付けた状態では、係止爪の下半部の先端がトリム本体の内面に衝接しているとともに、係止爪の上半部分の内面が取付孔の奥側縁部に突き当たっているため、製品の幅方向と上下方向の位置規制が行なえ、かつ係止爪と取付孔の幅寸法を調整することで、製品の長手方向の位置規制が行なえることから、前後、左右及び上下方向のいずれの方向においても位置規制がなされることになる。
【００１４】
加えて、カバープレートをトリム本体に取り付けるには、係止爪の下半部分をほぼ鉛直方向に向けた状態でトリム本体の取付孔内にほぼ鉛直方向に沿って差し入れた後、係止爪の基部を支点として、カバープレートをトリム本体の収容方向に回動操作するだけで簡単に取り付けることができ、係止爪の曲げ加工等の後加工を必要とすることなく、確実でかつ体裁の良い取付構造が得られる。
【発明の効果】
【００１５】
以上説明した通り、本発明に係るカバープレートの取付構造によれば、カバープレートの一縁部に設けた係止爪の形状を上半部が車外側を向き、下半部が室内側を向く略く字状に設定することで、トリム本体の取付孔に係止爪を取り付けた状態では、係止爪の上半部の基部が取付孔の手前側縁部に面接触するため、取付孔が外部に目立たず、取付部における外観性能を高めることができる。
【００１６】
更に、本発明に係るカバープレートの取付構造によれば、カバープレートに設けた係止爪の形状により、カバープレートは、前後方向、左右方向及び上下方向にそれぞれ位置規制され、カバープレートに外力が加わっても、ズレ等が生じることがなく、精度の良い取り付けが可能になるという効果を有する。
【発明を実施するための最良の形態】
【００１７】
以下、本発明に係るカバープレートの取付構造を車両における助手席側ドアのサイドステップ部に設けられるキッキングプレートに適用した実施例の構成について、添付図面を参照しながら詳細に説明する。
【実施例】
【００１８】
図１乃至図５は、本発明に係るカバープレートの取付構造をキッキングプレートに適用したもので、図１は助手席側に設けられるキッキングプレートの外観図、図２は同キッキングプレートを構成するプレート本体とカバープレートを分解して示す斜視図、図３は同キッキングプレートの構成を示す断面図、図４及び図５は同キッキングプレートにおけるカバープレートの取付形態を示す各説明図である。
【００１９】
まず、図１に示すキッキングプレート１０の取付部位は、従来例の図６に示すように、助手席側のドア開口部３の下縁部に位置するサイドステップ部４の表面側に取り付けられる。すなわち、このキッキングプレート１０は、キッキングプレート本体２０と、このキッキングプレート本体２０に取着され、キッキングプレート本体２０の表面外観とは異なる表面外観を呈し、外観上のアクセント効果を付与するカバープレート３０とから大略構成されている。尚、図中符号４０は、照明ユニットを示し、この照明ユニット４０は、キッキングプレート本体２０内に内蔵され、夜間等、乗員が乗降する際、足元を照らす機能をもつ。
【００２０】
次いで、図２を基にキッキングプレート本体２０及びカバープレート３０の構成について詳細に説明する。まず、キッキングプレート本体２０は、合成樹脂の射出成形体から構成され、断面略コ字状をなす長尺樹脂成形体であり、水平面部２０ａの長手方向に沿う両側縁、すなわち車室内に向く側に下向きのインナー側フランジ２０ｂが形成され、同様に車外に対向する側に下側に向けてアウター側フランジ２０ｃが形成されている。尚、インナー側フランジ２０ｂのほうがアウター側フランジ２０ｃに比し寸法がやや長めに設定されている。上記キッキングプレート本体２０の素材としては、ポリプロピレン（ＰＰ）樹脂、ポリエチレン（ＰＥ）樹脂、ＡＢＳ樹脂等、汎用の熱可塑性樹脂の使用が可能であるが、本実施例ではＰＰ樹脂を使用している。
【００２１】
そして、このキッキングプレート本体２０の水平面部２０ａからインナー側フランジ２０ｂの一部にかけて、カバープレート３０の外形に合致するプレート収容凹部２１が形成されており、このプレート収容凹部２１の手前側縁部に沿って開口がほぼ鉛直方向に向く複数の係止孔２２が開設されている。更に、このプレート収容凹部２１の一部に照明ユニット４０を収容するためのユニット収容凹部２３が一段深く凹設されており、このユニット収容凹部２３の底面部の２箇所にユニット取付孔２４が開設されている。
【００２２】
次いで、カバープレート３０は、キッキングプレート本体２０が合成樹脂材からなる樹脂外観をもつことから、両者の外観上のアクセント効果を強調するためには、ステンレスプレートやアルミプレート等の金属外観を有する金属薄板が好ましく、本実施例では、０．６ｍｍ厚みのステンレス薄板が使用されている。
【００２３】
そして、このカバープレート３０は、照明ユニット４０を外部に臨ませるために、照明ユニット４０の外形寸法よりやや小さめのサイズの開口３１が開設されるとともに、キッキングプレート本体２０の水平面部２０ａとインナー側フランジ２０ｂの一部に亘り設けられているプレート収容凹部２１に取り付けるためのフランジ３２が一方縁に沿って下向きに形成されており、このフランジ３２の先端縁にキッキングプレート本体２０の係止孔２２に対応する箇所に係止爪３３が一体に設けられている。
【００２４】
ところで、本発明の特徴は、カバープレート３０の係止爪３３の形状に特徴があり、係止爪３３をキッキングプレート本体２０の係止孔２２内に係着する特有の係着構造により、外観性能の向上を図るとともに、精度良く取り付けることができる。すなわち、図３は、キッキングプレート本体２０に対してカバープレート３０を両面接着テープ２５を介して接着した状態を示す断面図であり、この図から明らかなように、カバープレート３０の係止爪３３は、上半部３３ａが車外側に向き、下半部３３ｂが室内側に向く略く字状の形状をなしており、係止孔２２にカバープレート３０を取り付けた状態においては、キッキングプレート本体２０の係止孔２２は、係止孔２２の手前側縁部に傾斜面２２ａが形成されており、係止爪３３の上半部３３ａと、この傾斜面２２ａとが面接触している。このため、係止孔２２が外部に目立つことがなく、取付部分の外観性能を良好に維持できる。
【００２５】
更に、係止爪３３の形状により、キッキングプレート本体２０に対してカバープレート３０を一旦取り付ければ、前後方向、左右方向はもとより、上下方向にもカバープレート３０がずれることがない精度の良い取り付けが期待できる。図３中Ｘ方向（キッキングプレート１０の幅方向）の位置規制については、係止爪３３の先端３３ｃがキッキングプレート本体２０のインナー側フランジ２０ｂの内面に突き当たることでＸ方向の規制がなされ、キッキングプレート本体２０の係止孔２２の奥側縁部に対して係止爪３３の上半部３３ａが突き当たっているため、図３中Ｚ方向（上下方向）の位置規制もなされ、かつ係止爪３３と係止孔２２との幅方向をほぼ同等に設定することで、図２中Ｙ方向（キッキングプレート１０の長手方向）の位置規制も同時に行なえる。
【００２６】
次に、図４，図５に基づいて、カバープレート３０の取付作業要領について説明すると、図４（ａ）に示すように、キッキングプレート本体２０の係止孔２２は、ほぼ鉛直方向に開口するように形成され、かつ手前側縁部に傾斜面２２ａが設定されている。この係止孔２２に対してカバープレート３０の係止爪３３における下半部３３ｂがほぼ鉛直方向となるようにカバープレート３０を傾斜姿勢で位置決めし、矢印方向（鉛直方向）に沿って係止孔２２内に係止爪３３の下半部３３ｂを挿入する。
【００２７】
その後、図４（ｂ）に示すように、係止爪３３の基部３３ｄを支点として、カバープレート３０をキッキングプレート本体２０に重合させるように矢印方向に回動操作することで、係止爪３３の上半部３３ａと係止孔２２の傾斜面２２ａとが面接触して、図５に示す取付構造を達成することができる。尚、図５に示すように係止爪３３の先端３３ｃと、キッキングプレート本体２０のインナー側フランジ２０ｂの内面との間のクリアランス（図中ｄ１で示す）に０．５ｍｍ程度のスキが生じても、キッキングプレート本体２０におけるインナー側フランジ２０ｂの製品面とカバープレート３０の製品面との面差に同等のスキ（図中ｄ２で示す）を予め設定しておけば、取付完了時には、製品面が面一状となる。
【００２８】
従って、本発明に係るカバープレート３０をキッキングプレート本体２０の取付構造に適用すれば、係止爪３３をキッキングプレート本体２０の係止孔２２内に挿入した後、回動操作させるだけで簡単に取り付けることができ、簡単な取付作業を行なうだけで、係止孔２２が露出しない優れた外観性能と、前後、左右及び上下方向のいずれの方向においても位置規制がなされた確実な取付形態をとることができる。尚、運転席側のサイドステップ部には、上述した助手席側のキッキングプレート１０に対して左右対称状となるように形状設定したキッキングプレートを適用することができる。
【産業上の利用可能性】
【００２９】
この実施例では、車両のドア開口部３におけるサイドステップ部４に装着されるキッキングプレート１０に適用したが、樹脂成形体からなるトリム本体２０に対して外観上のアクセント効果をもつ金属製のカバープレート３０を取り付ける構造であれば、例えば、ドアトリム等の内装部品に取り付けるステンレスモールやフィニッシャー等の取付構造に適用できる。
【図面の簡単な説明】
【００３０】
【図１】本発明に係るカバープレートの取付構造を適用して製作した助手席側に設けられるキッキングプレートを示す外観図である。
【図２】図１に示すキッキングプレートの構成を示す分解斜視図である。
【図３】図１に示すキッキングプレートの構成を示す断面図である。
【図４】図１に示すキッキングプレートにおけるカバープレートの取付態様を示す、（ａ）係止爪の挿入工程、（ｂ）カバープレートの回転取付工程をそれぞれ示す説明図である。
【図５】図１に示すキッキングプレートにおけるカバープレートの取り付けを完了した状態を示す断面図である。
【図６】キッキングプレートの設置箇所を示す助手席側のドアを開放した車両を車外側からみた説明図である。
【図７】従来の助手席側に設けられるキッキングプレートを示す外観図である。
【図８】従来のキッキングプレートにおけるカバープレートの取付構造の一例を示す説明図である。
【図９】従来のキッキングプレートにおけるカバープレートの取付構造の一例を示す説明図である。
【符号の説明】
【００３１】
１０  キッキングプレート（助手席側仕様）
２０  キッキングプレート本体
２０ａ  水平面部
２０ｂ  インナー側フランジ
２０ｃ  アウター側フランジ
２１  プレート収容凹部
２２  係止孔
２２ａ  傾斜面
２３  ユニット収容凹部
２４  ユニット取付孔
２５  両面接着テープ
３０  カバープレート
３１  開口
３２  フランジ
３３  係止爪
３３ａ  上半部
３３ｂ  下半部
３３ｃ  先端
３３ｄ  基部
４０  照明ユニット
【図１】
2006027317.tif 000003
【図２】
2006027317.tif 000004
【図３】
2006027317.tif 000005
【図４】
2006027317.tif 000006
【図５】
2006027317.tif 000007
【図６】
2006027317.tif 000008
【図７】
2006027317.tif 000009
【図８】
2006027317.tif 000010
【図９】
2006027317.tif 000011